(57)【要約】【課題】人が操作部を操作しなくても、インターホン玄関装置の撮像及びインターホン玄関装置が撮像した画像の録画の少なくとも一方を制御でき、必要に応じた玄関周辺の人の画像の取得が可能になる情報端末等を提供すること。【解決手段】親機１０５は、操作部１５４を有する情報端末である。親機１０５が、操作部１５４に対する人の操作に基づかない情報を取得する取得部１５９と、取得部１５９が取得した情報に基づいて子機６の撮像及び子機６が撮像した画像の録画の少なくとも一方を制御する制御部１５６を備える。【選択図】図２
2020061594.tif 000002
【特許請求の範囲】
【請求項１】
操作部を有する情報端末であって、
前記操作部に対する人の操作に基づかない情報を取得する取得部と、
インターホン玄関装置の撮像及び前記インターホン玄関装置が撮像した画像の録画の少なくとも一方を、前記取得部が取得した情報に基づいて制御する制御部と、
を備える情報端末。
【請求項２】
記憶部を更に備え、前記制御部は、前記取得部が取得した情報に基づいて、前記インターホン玄関装置の撮像及び前記インターホン玄関装置が撮像した画像の前記記憶部への録画の少なくとも一方を、所定時間行う請求項１に記載の情報端末。
【請求項３】
記憶部を更に備え、前記制御部は、前記取得部が取得した第１情報に基づいて、前記インターホン玄関装置の撮像及び前記インターホン玄関装置が撮像した画像の前記記憶部への録画の少なくとも一方を開始し、前記取得部が取得した第２情報に基づいて、前記インターホン玄関装置の撮像及び前記インターホン玄関装置が撮像した画像の前記記憶部への録画の少なくとも一方を停止する請求項１に記載の情報端末。
【請求項４】
前記インターホン玄関装置の撮像が、前記取得部が第１時刻に第１情報を取得する前から実行されていて、前記第１時刻よりも第１所定時間前からの録画を確認できるようになっていることと、前記インターホン玄関装置の撮像が、前記取得部が第２時刻に第２情報を取得した後に第２時刻から少なくとも第２所定時間経過する第３時刻まで実行されていて、少なくとも前記第２時刻から前記第３時刻までの録画を確認できるようになっていることのうちの少なくとも一方を充足する請求項１に記載の情報端末。
【請求項５】
記憶部を更に備え、前記制御部は、前記取得部が取得した情報に基づいて、前記インターホン玄関装置に１以上の静止画を撮像させる制御と、その１以上の静止画を前記記憶部へ録画させる制御とを実行する請求項１に記載の情報端末。
【請求項６】
前記１以上の静止画は、異なるタイミングで撮像された複数の前記静止画である請求項５に記載の情報端末。
【請求項７】
１以上の接点を備え、
前記取得部は、各接点をオンオフ制御することを表す信号を受信する、請求項１乃至６のいずれか１つに記載の情報端末。
【請求項８】
前記取得部が、ローカルエリアネットワークからの情報を取得可能である、請求項１乃至６のいずれか１つに記載の情報端末。
【請求項９】
前記取得部が、ローカルエリアネットワークに含まれる管理装置からの情報を広域ネットワークを介して取得可能である、請求項１乃至６のいずれか１つに記載の情報端末。
【請求項１０】
請求項１乃至９のいずれか１つに記載の情報端末と、前記インターホン玄関装置とを備える、インターホンシステム。
【請求項１１】
情報端末の操作部に対する人の操作に基づかない情報を前記情報端末の取得部で取得し、
前記情報端末の制御部が、インターホン玄関装置の撮像部の撮像制御、及び前記撮像部が撮像した画像を前記情報端末の記憶部に録画させる録画制御のうちの少なくとも一方を前記情報に基づいて実行する、インターホン制御方法。
【請求項１２】
撮像部を有するインターホン玄関装置と双方向の信号のやり取りが可能であり、外部から情報を取得する取得部、操作部、及び記憶部を備える情報端末で用いられるインターホン制御プログラムであって、
前記取得部が取得した前記情報であって前記操作部に対する人の操作に基づかない前記情報に基づいて、前記撮像部に撮像を実行させる処理、及び前記撮像部が撮像した画像を前記記憶部に録画する処理のうちの少なくとも一方をコンピュータに実行させる、インターホン制御プログラム。
【発明の詳細な説明】
【技術分野】
【０００１】
本開示は、インターホンシステムに含まれるか、又はインターホンシステムに含まれる機器と信号のやり取りが可能である情報端末に関する。また、本開示は、情報端末と、玄関先に配置されるインターホン玄関装置（子機）とを備えるインターホンシステムに関する。また、本開示は、インターホン玄関装置の撮像部の制御、及びその撮像部が撮像した画像の録画の制御のうちの少なくとも一方を実行するのに用いるインターホン制御方法及び制御プログラムに関する。
【背景技術】
【０００２】
従来、インターホン装置としては、特許文献１に記載されているものがある。このインターホン装置は、集合マンションの各住戸に設置され、住戸内に配置される親機と、玄関先に設置される子機を備える。子機は、その呼び鈴を操作した訪問者等を撮像する撮像部を有する。
【先行技術文献】
【特許文献】
【０００３】
【特許文献１】特開２０１７−２０８６２４号公報
【発明の概要】
【発明が解決しようとする課題】
【０００４】
宅配ボックスはインターホン装置において玄関に配置される子機の下方に設置されることが多いが、宅配ボックスに関して、その収容室に荷物を収容した人や収容室から荷物を取り出した人を撮像することで荷物の盗難防止等に役立てたいという要請がある。また、親機等で警戒モードが設定されているときに、玄関ドアの開閉センサが作動して泥棒等の不審者が住戸に侵入した場合に、その不審者が玄関から逃走する姿を撮像できれば好ましい。更には、それ以外の用途でも、玄関周辺の人を必要に応じて撮像できれば好ましい。しかし、それらの人を撮像するために、撮像装置を新たに増設すると、大きなコスト増につながる。
【０００５】
そこで、本開示の目的は、人が操作部を操作しなくても、インターホン玄関装置の撮像及びインターホン玄関装置が撮像した画像の録画の少なくとも一方を制御でき、玄関周辺の人の画像の取得が可能になる情報端末、インターホンシステム、インターホン制御方法、及びインターホン制御プログラムを提供することにある。
【課題を解決するための手段】
【０００６】
上記課題を解決するため、本開示に係る情報端末は、操作部を有する情報端末であって、操作部に対する人の操作に基づかない情報を取得する取得部と、インターホン玄関装置の撮像及びインターホン玄関装置が撮像した画像の録画の少なくとも一方を、取得部が取得した情報に基づいて制御する制御部と、を備える。
【０００７】
また、本開示に係るインターホン制御方法は、情報端末の操作部に対する人の操作に基づかない情報を情報端末の取得部で取得し、情報端末の制御部が、インターホン玄関装置の撮像部の撮像制御、及び撮像部が撮像した画像を情報端末の記憶部に録画させる録画制御のうちの少なくとも一方を前記情報に基づいて実行する。
【０００８】
また、本開示に係るインターホン制御プログラムは、撮像部を有するインターホン玄関装置と双方向の信号のやり取りが可能であり、外部から情報を取得する取得部、操作部、及び記憶部を備える情報端末で用いられるインターホン制御プログラムであって、取得部が取得した情報であって操作部に対する人の操作に基づかない情報に基づいて、撮像部に撮像を実行させる処理、及び撮像部が撮像した画像を記憶部に録画する処理のうちの少なくとも一方をコンピュータに実行させる。
【発明の効果】
【０００９】
本開示によれば、玄関周辺に撮像装置を増設しなくても、また、人が玄関インターホン装置の撮像及びその撮像に基づく画像の録画の少なくとも一方を意図する操作をしなくても、玄関周辺の人の画像を必要に応じで取得できる。そして、その画像を、既存の施設を用いて低コストで取得できる。
【図面の簡単な説明】
【００１０】
【図１】第１実施形態のインターホンシステムの概略構成図である。
【図２】第２実施形態のインターホンシステムの概略構成図である。
【図３】第３実施形態のインターホンシステムの概略構成図である。
【発明を実施するための形態】
【００１１】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、以下の実施例では、図面において同一構成に同一符号を付し、重複する説明を省略する。また、以下の説明において、各種制御部は、例えば、マイクロコンピュータによって好適に構成され、ＣＰＵ（Central Processing Unit）を含む。また、各種記憶部は、ＲＯＭ（Read Only Memory）等の不揮発性メモリや、ＲＡＭ（Random Access Memory）等の揮発性メモリで構成される。また、各種表示部は、液晶パネルや有機ＥＬパネル等で構成される。ＣＰＵは、記憶部に予め記憶されたプログラム等を読み出して実行する。また、不揮発性メモリは、制御プロラムや所定の閾値等を予め記憶する。また、揮発性メモリは、読み出したプログラムや処理データを一時的に記憶する。
【００１２】
（第１実施形態）
図１は、本開示の第１実施形態のインターホンシステム１の概略構成図である。このインターホンシステム１は、複数の住戸を含む集合住宅に設置されている。このインターホンシステム１は、ロビーインターホン装置２、制御装置３、複数の住宅情報盤（以下、親機という）５、複数のインターホン玄関装置（以下、子機という）６、１以上の複数の表示部付制御装置７、複数の宅配ボックス８、ＶＰＮルータ（バーチャル・プライベート・ネットワークルータ）１０、ゲートウェイ装置１１、携帯電話アダプタ１２、及びアダプタ用ルータ１３を備える。
【００１３】
ロビーインターホン装置２は、集合住宅の内部と外部を区切る共用ゲート（不図示）よりも外部側に設けられて全ての住戸で共有され、制御装置３及びゲートウェイ装置１１は、例えば、管理人室等に設置される。また、親機５、及び表示部付制御装置７は、集合住宅に含まれる各住戸１７内に設置され、子機６は、各住戸１７の玄関先等に設置され、宅配ボックス８は、例えば１以上の住戸に関して子機６の下方位置に設置される。
【００１４】
ロビーインターホン装置２は、音声を入出力するマイクロホン２１及びスピーカ２２と、来訪者を撮像するカメラ２３を備える。また、ロビーインターホン装置２は、操作部２４を備え、操作部２４は、住戸番号を入力するための入力部２４ａと、呼出釦２４ｂを含む。人が入力部２４ａで住戸番号を選択した後に呼出釦２４ｂを操作すると、選択した住戸内の親機５等が内蔵のスピーカを用いて呼出音を出力する。
【００１５】
各親機５の記憶部５５には、アドレス（各住戸を特定する情報）が個別に設定されている。ロビーインターホン装置２の操作部２４でアドレスを選択することで、アドレスを指定する制御信号が、制御装置３を介して全ての親機５に伝送される。例えば、親機５の制御部５６は、制御信号に含まれるアドレスが自己のアドレスであれば、ロビーインターホン装置２との間に通信路を確立する。各住戸１７の玄関周辺には、図示しない分岐器が設けられる。分岐器は、制御装置３からのびる伝送線を分岐して他の住戸１７の親機５等に接続するために設けられる。ロビーインターホン装置２からの信号は、制御装置３と分岐器を介して親機５に出力される。指定された親機５の制御部５６は、スピーカ５３から呼出音を鳴動させ、ロビーインターホン装置２のカメラ２３において撮像された来訪者の映像を親機５の表示部５１に表示させる。なお、制御装置３が、アドレスを指定する制御信号に基づいて指定された親機５とロビーインターホン装置２との間の通信路のみを確立する構成でもよい。
【００１６】
制御装置３は、集合住宅の共有機器等を統括制御するために設けられ、通報システム（図示しない）の通報機（図示せず）へ所定の通報先に通報信号を送信させる制御や、エレベータ（図示せず）の昇降制御等を行う。所定の通報先には、例えば、消防署、管理会社、及び警備会社が含まれる。詳述しないが、制御装置３は、管理人室の管理事務室親機（図示せず）に接続される。管理事務室親機は、制御装置３を介してインターホンシステム１の各機器に信号を出力でき、インターホンシステム１の各機器は、制御装置３を介して管理事務室親機へ信号を出力できる。
【００１７】
親機５は、情報端末の一例である。親機５は、表示部５１の他に、音声を入出力するマイクロホン５２、スピーカ５３、操作部５４、記憶部５５、及び制御部５６を有する。親機５は、制御装置３を介してロビーインターホン装置２と双方向の情報のやり取りを行う他、伝送線を通じて子機６と双方向の情報のやり取りを行い、ロビーインターホン装置２及び子機６と音声情報や映像情報をやり取り可能になっている。マイクロホン５２は、音声の入力のために用いられ、スピーカ５３は、音声を出力するために用いられる。また、操作部５４は、ロビーインターホン装置２及び子機６を介して訪問者等と会話を行うことを選択する操作や、上記共用ゲートの解錠操作（共有ゲートの開き操作）等を実行する際に用いる。なお、各住戸１７の親機５は、適切な設定を行うことで分岐器を介して所望の住戸１７の親機５と信号の送受信を実行可能になっていてもよい。
【００１８】
子機６は、音声を入出力するマイクロホン６１、スピーカ６２、来訪者を撮像する撮像装置としてのカメラ６３、及び呼出釦６４を含む。子機６のカメラ６３で撮像された映像信号や音声信号は、伝送線を介して親機５に送信される。子機６の呼出釦６４が操作されると、呼出音が、親機５のスピーカ５３から出力される。
【００１９】
表示部付制御装置７は、ローカルエリアネットワークに含まれる管理装置の一例である。表示部付制御装置７は、ＨＥＭＳ（ホームエネルギーマネジメントシステム）に含まれ、ＨＥＭＳの中核をなす機器である。表示部付制御装置７は、表示部７１と、制御部７２と、操作部７３を有する。表示部付制御装置７は、主に、エネルギーの可視化と、複数の機器の自動制御の２つの役割を担う。エネルギーの可視化については、例えば、次のように実行する。詳しくは、表示部付制御装置７の制御部７２は、図示しない複数の機器、例えば、分電盤、水道メータ、ガスメータからの信号により、電気・ガス・水道の使用量をリアルタイムに算出してもよい。また、表示部付制御装置７の制御部７２は、電気料金を、家全体、又は分岐回路ごとに算出し、算出した電気料金を表示部７１に表示させてもよい。また、制御部７２は、家全体の電力収支、電気料金の目安や、太陽光発電システムおよび燃料電池の発電状況についても表示部７１に表示させてもよい。なお、表示部７１に追加するか又は表示部７１の替わりに、それらの情報を親機５の表示部５１に表示してもよい。
【００２０】
また、自動制御については、例えば次のように実行してもよい。図示しないエアコンを例に説明すると、エアコンでは、スイッチを入れてから３０分後に、冷房なら２８℃、暖房なら２０℃の省エネ温度に自動で変更してもよい。またエアコンの運転中に、外気温が２８℃(冷房時。暖房時は２０℃)になったら、表示部７１や、テレビや親機５などの他の表示部５１にメッセージを表示し、エアコンの無駄遣いを防いでもよい。
【００２１】
更に、大量に電気を使用している際に、消費電力の高い図示しないＩＨクッキングヒーターを使った場合は、制御部７２は、住まい全体の電気使用量に応じて、ＩＨクッキングヒーターの火力を自動で調節し、図示しない分電盤のブレーカが落ちるのを防いでもよい。また、制御部７２による制御によって、図示しないエコキュートを、昼間に図示しない太陽電池モジュールで作った余剰電力や燃料電池で発電の際に生じる熱によって自動で沸き増ししてもよい。
【００２２】
宅配ボックス８は、住戸１７の住人が不在の際等に宅配業者等が宅配物を収容するため等の目的で設けられる。各宅配ボックス８には、例えば、高さ方向に延在する軸を支点として回動することで荷物開閉室を開閉する扉が存在し、扉は、その内側に宅配業者等が施錠等を行うための操作部８３を有する。また、扉は、例えば、その外側に宅配業者等が扉を開けるための開ボタンと、伝票を差し込む伝票差込口と、捺印を実行させる捺印ボタンと、使用可能の有無を表示する表示部８４を有し、捺印ボタンは、操作部８３に含まれる。
【００２３】
例えば、宅配業者等は、先ず、扉が閉じられた宅配ボックスの開ボタンを押して、扉を開け、荷物を外装体内に入れることができ、操作部８３を用いて、扉が閉じた状態で施錠を行うことができる。また、宅配業者等は、例えば、伝票を伝票差込口に入れ、捺印ボタンを押すことにより、宅配ボックス８に事前にセットされたシャチハタ式等の印鑑により伝票への押印を実行できる。また、荷物が入れられて施錠されると、表示部８４が、使用中を意図する表示を行ってもよい。これにより、住人等が専用キーやパスワードの入力等で荷物を取り出さない限り、他の荷物を収容できなくなる。なお、宅配ボックス８に荷物を収容する機能、伝票に押印する機能、荷物を取り出す機能、及び表示機能の夫々は、多種多様存在し、いずれの機能でもよく、説明した機能に限らない。
【００２４】
宅配ボックス８の操作部８３は、荷物種類を入力する入力部を含んでもよく、その入力部により、宅配業者が、荷物が配達用荷物であることを入力できてもよい。また、宅配ボックス８は、ユーザが荷物を収容するのに用いてもよい。詳しくは、ユーザは、宅配業者に集めてもらう集荷用荷物を宅配ボックス８に収容でき、上記入力部を用いてその荷物が、集荷用荷物であることを入力できてもよい。
【００２５】
宅配ボックス８が施錠されると、施錠を表す信号が出力される。その信号は、例えば次の動作に基づいて出力される。詳しくは、宅配ボックス８は、扉の裏側に設置された磁気センサ８１と、通信部８２を有する。磁気センサ８１は、リードスイッチと、リードスイッチに間隔をおいて配置される永久磁石を含む。また、宅配ボックス８の施錠機構は、施錠レバーと、施錠レバーと連動して動く金属製の遮蔽板を有する。宅配ボックス８が施錠されておらず施錠レバーが押し上げられている状態では、遮蔽板が、リードスイッチと永久磁石の間に位置する。この場合、永久磁石の磁力が遮蔽板によって遮られてリード片に到達しない。その結果、リードスイッチの一対のリード片が非接触となり、磁気センサ８１が動作しない。
【００２６】
他方、宅配ボックス８が施錠される際に施錠レバーが押し下げられると、遮蔽板が、施錠レバーの動作に連動して永久磁石の磁力が遮られない位置まで下降する。そして、リードスイッチの一対のリード片が永久磁石の磁力で接触し、磁気センサ８１が動作する。通信部８２は、例えば送信モジュールを含む。送信モジュールは、磁気センサ８１が動作すると宅配ボックス８が施錠されたことを表す無線信号を送信する。表示部付制御装置７は、その無線信号を受信する。
【００２７】
なお、磁気センサ８１や通信部８２が、宅配ボックス８に内蔵される場合について説明したが、センサや通信部を、宅配ボックスに後付けしてもよい。つまり、宅配ボックス自体は検知機能や通信機能を有さず、表示部付制御装置は、後付けで宅配ボックスに取り付けられたセンサ装置や通信装置を用いて情報を取得してもよい。また、上記無線信号は、如何なる周波数を有してもよい。しかし、既存の表示部付制御装置７は、９２０ＭＨｚの無線信号を受信できるので、無線信号が９２０ＭＨｚの周波数を有すれば、既存の表示部付制御装置７を大きく設計変更することなくインターホンシステム１を構築できて好ましい。また、磁気センサに代えて、投光部と受光部とで構成される光センサを用いてもよい。光センサを用いる場合も、施錠レバーが押し上げられる場合と押し下げられる場合とで、遮蔽板が、投光部から出射された光が、受光部に到達するのを遮る位置と、遮らない位置とを移動するようにすることで、宅配ボックス８が施錠されているか否かを検出できる。
【００２８】
次に、本インターホンシステム１における宅配ボックス８に関連する撮像動作について説明する。宅配業者等が、荷物が収容されていない宅配ボックス８に荷物を収容し、宅配ボックス８を施錠したとする。すると、通信部８２が、宅配ボックス８が施錠されたことを表す無線信号を送信し、表示部付制御装置７が、その無線信号を受信する。表示部付制御装置７は、無線信号を受信すると、宅配ボックス８が施錠されたことを表す施錠信号を、インターネット１５経由でその宅配ボックス８が玄関先に設置されている特定の住戸１７内の親機５に向けて出力する。詳しくは、表示部付制御装置７は、無線ＬＡＮ又はＬＡＮケーブルを介してインターネット１５に接続され、例えば、図示しないＶＰＮルータを内蔵する。そのＶＰＮルータは、パケットの宛先を調べ、インターネット宛のパケットの場合、そのままインタネットサービスプロバイダ経由でインターネットに送り出し、対向拠点のプライベートアドレス宛のパケットの場合、トンネリングや暗号化などのＶＰＮの処理を施す。例えば、ＩＰ（International Protection）パケットの暗号化や認証を実行するＩＰセキュリティでは、「トンネルモード」と呼ばれる通信モードを用いてＶＰＮを構築してもよい。ＶＰＮルータは、インターネット１５を介して繋がる複数のＬＡＮを統合して接続し、ひとつのネットワークにする役割を果たす。よって、ＶＰＮルータを用いれば、インターネット１５を介して繋がる表示部付制御装置７及び親機５を、同一のネットワークに属するようにできる。
【００２９】
特定の住戸１７内の親機５は、表示部付制御装置７からの施錠信号を、ＶＰＮルータ１０、ゲートウェイ装置１１、及び制御装置３を介して受ける。親機５において制御装置３からの伝送線が接続されるポートは、情報の取得部５９を構成する。また、ＶＰＮルータ１０は、上記ＶＰＮルータと同様の役割を果たし、ゲートウェイ装置１１は、データ形式を自動的に変換し、プロトコルの異なるネットワーク間でのデータのやり取りを可能にするために設けられる。なお、表示部付制御装置７からの情報は、表示部付制御装置７を販売した会社のサーバ、又は管理会社のサーバ等を経由した後、ＶＰＮルータ１０に送信されてもよい。
【００３０】
親機５は施錠信号を受けると、その制御部５６が、子機６のカメラ６３の撮像と、カメラ６３が撮像した画像の録画を制御する。詳しくは、制御部５６は、子機６のカメラ６３に、磁気センサ８１が動作した時刻から所定時間撮像を実行させる。また、制御部５６は、カメラ６３が撮像した所定時間の動画を、親機５の記憶部５５に記憶させる。上記所定時間は、如何なる時間でもよいが、１５秒から２分までに含まれる時間を好適に採用できる。
【００３１】
なお、撮像や録画の開始と同様、撮像や録画を、センサ情報等の操作部に対する人の操作に基づかない情報に基づいて終了してもよい。また、携帯電話アダプタ１２は、親機５を携帯電話に接続できるようにする機器である。これにより、ロビーインターホン装置２のカメラ２３や子機６のカメラ６３が撮像した画像を、親機５、アダプタ用ルータ１３、及びインターネット１５経由で、携帯電話で確認できるようになり、携帯電話でロビーインターホン装置２や子機６を操作している人との通話も可能になる。また、例えば、宅配ボックス８が施錠された情報を携帯電話で所得でき、また、宅配ボックス８を施錠した人の画像を携帯電話で確認できる。また、玄関にでられない場合や、外出先でも、携帯電話で、来客人を確認し、来客人と会話できる。
【００３２】
以上、本開示の親機５は、操作部５４を有する情報端末である。また、親機５は、操作部５４に対する人の操作に基づかない情報を取得する取得部５９と、子機６の撮像及び子機６が撮像した画像の録画を取得部５９が取得した情報に基づいて制御する制御部５６を備える。
【００３３】
したがって、宅配ボックス８が施錠された情報に基づいて子機６のカメラ６３の撮像を開始でき、上記実施例の場合、宅配ボックス８に荷物を収納した人等を確認できる。よって、荷物が宅配されたことを知ることができ、配送される予定であった荷物が予定通りに配送されたことの確認等を実現できる。
【００３４】
また、親機５は、記憶部５５を備え、制御部５６は、取得部５９が取得した情報に基づいて、子機６の撮像及び子機６が撮像した画像の記憶部５５への録画を所定時間の間行ってもよい。
【００３５】
上記構成によれば、取得部５９が情報を取得してから所定時間の間だけ、撮像及び録画を行うようにできるので、撮像コストと録画コストを低減できる。
【００３６】
また、取得部５９が、ローカルエリアネットワークに含まれる表示部付制御装置７からの情報を広域ネットワークであるインターネット１５を介して取得可能でもよい。
【００３７】
上記構成によれば、ＨＥＭＳを採用している住戸において、新たな機器の増設等の工事を殆ど行わないか又は行わずに、親機５の操作部５４の操作に基づかない子機６のカメラ６３の撮像制御とその撮像に基づく画像の録画制御を実行できる。よって、それらの制御を低コストで実現できる。
【００３８】
なお、上記第１実施形態では、宅配ボックス８が施錠された情報に基づいて子機６のカメラ６３の撮像が開始された。しかし、宅配ボックス８の施錠が解錠された情報に基づいて子機６のカメラ６３の撮像を開始してもよい。この場合、ユーザが宅配業者に集めてもらう集荷用荷物を宅配ボックス８に収容した際に、集荷用荷物が宅配業者によって回収されたことを確認できる。更には、いたずら目的や盗みの目的で宅配ボックス８の施錠を解錠した不審者を自動的に撮像でき、それらの犯罪を効果的に抑制できるか又は防止できる。また、宅配ボックスの扉の開閉を検知するセンサが存在してもよく、インターホン玄関装置のカメラの撮像が、宅配ボックスの扉が開いた情報に基づいて開始されてもよく、宅配ボックスの扉が閉じた情報に基づいて開始されてもよい。また、宅配ボックスは、荷物を入れる扉と、荷物を取り出す扉を別個に有してもよい。そして、この場合、インターホン玄関装置のカメラの撮像は、荷物を入れる扉を開いた情報、荷物を入れる扉を閉じた情報、荷物を入れる扉を施錠する情報、荷物を入れる扉を解錠する情報、荷物を取りだす扉を開いた情報、荷物を取りだす扉を閉じた情報、荷物を取りだす扉を施錠する情報、又は荷物を取りだす扉を解錠する情報に基づいて開始してもよい。
【００３９】
また、取得部５９が取得した情報に基づいて子機６のカメラ６３が撮像を開始し、カメラ６３が撮像した画像が親機５の記憶部５５に録画される場合について説明した。しかし、親機５の制御部５６は、取得部５９が取得した情報に基づいて子機６のカメラ６３の撮像制御と、記憶部５５への画像の録画制御の一方のみを実行してもよい。
【００４０】
詳しくは、親機５の制御部５６は、取得部５９が取得した情報に基づいて子機６のカメラ６３の撮像制御のみを行ってもよく、例えば、取得部５９が情報を受信したことが通知された携帯電話の表示部に、カメラ６３が撮像した画像をリアルタイムで表示してもよい。又は、ドライブレコーダのように、子機６のカメラ６３が撮像を常時行っており、親機５の制御部５６が、取得部５９が取得した情報に基づいて録画制御のみを行い、必要な画像のみ記憶し、不必要な画像は記憶しなくてもよい。
【００４１】
また、親機５は、記憶部５５を備え、制御部５６は、取得部５９が取得した第１情報に基づいて、子機６の撮像及び子機６が撮像した画像の記憶部５５への録画の少なくとも一方を開始し、取得部５９が取得した第２情報に基づいて、子機６の撮像及び撮像した画像の記憶部５５への録画の少なくとも一方を停止してもよい。
【００４２】
ここで、例えば、宅配ボックス８を例に説明すると、第１情報は、宅配ボックス８に荷物が収容された情報でもよく、その情報は、宅配ボックス８の荷物収容室内の荷物の有無を検知する重量センサや光学センサの荷物収容室内の荷物の有無を表す情報でもよい。また、第２情報は、宅配ボックス８が施錠されたことを表す情報でもよい。また、上述のように、宅配ボックスの扉の開閉を検知するセンサが存在してもよい。そして、第１情報及び第２情報の夫々は、宅配ボックスの扉が開いた情報、その扉を閉じた情報、宅配ボックスに荷物が収容された情報、上記扉を施錠した情報、又は上記扉を解錠した情報のいずれかでもよい。また、宅配ボックスが、荷物を入れる扉と、荷物を取り出す扉を別個に有する場合、第１情報は、いずれかの扉の開閉情報や、いずれかの扉の施錠・解錠情報でもよく、第２情報も、いずれかの扉の開閉情報や、いずれかの扉の施錠・解錠情報でもよい。また、インターホン玄関装置の撮像及び録画の少なくとも一方を、いずれの情報をトリガとして開始するか、終了するかを設定できるようになっていてもよい。より詳しくは、第１情報及び第２情報のうちの少なくとも一方を、複数の情報から選択して設定できる操作部を情報端末に設けてもよい。
【００４３】
また、子機６の撮像が、取得部５９が第１時刻に第１情報を取得する前から実行されていて、その第１時刻よりも第１所定時間前からの録画を確認できるようになっていてもよい。また、子機６の撮像が、取得部５９が第２時刻に第２情報を取得した後に第２時刻から少なくとも第２所定時間経過する第３時刻まで実行されていて、少なくとも第２時刻から第３時刻までの録画を確認できるようになっていてもよい。また、これら２つの録画の確認は、両方を実行できてもよく、どちらか一方のみを実行できてもよい。
【００４４】
これらの変形例によれば、撮像が最も望まれる取得部５９が情報を取得した時刻の前後の画像を取得でき、有益な画像情報を獲得できる。なお、上記第１及び第２所定時間の夫々は、如何なる時間に設定されてもよいが、例えば、３０分以内の任意の時間、１０分以内の任意の時間、又は５分以内の任意の時間でもよい。
【００４５】
また、親機５は、記憶部５５を備え、制御部５６は、取得部５９が取得した情報に基づいて、子機６に１以上の静止画を撮像させる制御と、その１以上の静止画を記憶部５５へ録画させる制御とを実行してもよい。また、上記１以上の静止画は、異なるタイミングで撮像された複数の静止画でもよい。
【００４６】
上記構成によれば、記憶情報の容量を小さくできる。なお、記憶部５５に記憶される情報は、１以上の静止画の他、こま送りの複数の静止画の画像でもよく、動画でもよい。
【００４７】
また、子機６のカメラ６３が撮像した画像を録画する記憶部５５が親機５に存在する場合について説明した。しかし、子機のカメラが撮像した画像を録画する記憶部は、子機にあってもよく、この場合、子機のカメラが撮像した画像は、子機の記憶部のみに録画されてもよく、親機の記憶部と子機の記憶部の両方に録画されてもよい。
【００４８】
また、情報端末が親機５である場合について説明した。しかし、情報端末は、子機と情報をやり取りする情報端末、例えば、副親機、携帯電話、タブレット、又はパーソナルコンピュータ等でもよく、この場合、子機との情報のやり取りは、直接実行されてもよく、親機経由で実行されてもよい。
【００４９】
また、宅配ボックス８の情報が、表示部付制御装置７、インターネット１５、制御装置３を介して親機５に入力される場合について説明した。しかし、宅配ボックス８の情報は、アダプタ用ルータ１３、及び携帯電話アダプタ１２を介して親機５に入力されてもよい。また、携帯電話アダプタが親機に内蔵されている場合には、宅配ボックスの情報は、そのアダプタ用ルータのみを介して親機に入力されてもよい。
【００５０】
また、取得部５９が、宅配ボックス８の情報を取得する場合について説明した。しかし、取得部５９が取得する情報は、宅配ボックス８以外の情報でもよい。例えば、表示部付制御装置は、住戸の入口ドアや窓に設置された防犯用のセンサ（例えば、磁気センサで構成）からの信号を受信可能でもよい。
【００５１】
詳しくは、人は、親機５、副親機、表示部付制御装置７、携帯電話等の操作部を用いて防犯モードを設定できてもよい。また、玄関防犯センサが、玄関ドア周辺に設置され、窓防犯センサが、窓に設置されてもよく、それらのセンサが、スイッチを含むマグネットセンサで構成されてもよい。そして、防犯モードにおいて、玄関扉が開くと玄関防犯センサのスイッチが磁力でオンになり、玄関扉が開いたことを表す信号が表示部付制御装置７に出力されてもよい。また、防犯モードにおいて、窓が開くと窓防犯センサのスイッチがオンになり、窓が開いたことを表す信号が表示部付制御装置７に出力されてもよい。そして、玄関防犯センサ又は窓防犯センサが防犯モードで動作すると、親機５が、いずれか一方の防犯センサが動作した情報を、表示部付制御装置７、インターネット１５、及び制御装置３経由で取得できるようにしてもよい。そして、親機５の制御部５６が、子機６のカメラ６３の撮像制御とカメラ６３が撮像した画像の録画制御のうちの少なくとも一方を実行してもよい。この変形例によれば、住人の留守中に住戸に侵入した泥棒が、玄関ドアを介して逃走した場合に、その姿の少なくとも一部を画像として取得できる可能性が高い。よって、その画像を、泥棒の特定に役立てることができる。
【００５２】
又は、取得部は、ドアの施解錠に関する情報を取得してもよく、取得部が取得するのが、錠に設けられた施解錠のセンサ情報や、電気錠からの施解錠の情報等でもよい。より詳しくは、例えば、賃貸物件の内覧をさせる場合に、ドアの錠を解錠してから撮像や録画を実行するようにしてもよい。また、この場合において、ドアの錠が電気錠の場合には、例えば、内覧する人が携帯する情報端末（携帯電話等）に対して一時的に鍵を発行してもよい。また、この鍵の発行は、例えば、情報端末へのメールの送信により実行してもよく、情報端末の所有者等による、その情報端末を用いた所定の機器（サーバ等）へのアクセスにより実行してもよい。このようにして、仲介業者やオーナーが付き添わなくても簡易的にセキュリティ性を担保できるようにしてもよい。なお、この場合において、インターホン玄関装置に加えて、賃貸物件内の所定箇所に１以上の撮像装置を設置して、インターホン玄関装置に加えて、その１以上の撮像装置でも撮像を行ってもよい。また、この場合において、その１以上の撮像装置での撮像を、ドアの錠の解錠で開始してもよく、ドアの錠の施錠で終了してもよい。
【００５３】
また、マンション等の集合住宅で用いられるインターホンシステム１を例に説明を行ったが、インターホンシステムは、一戸建ての住戸に設置されてもよい。この場合、宅配ボックスや防犯センサからの情報は、表示部付制御装置、インターネット、一戸建て用のＶＰＮルータ、一戸建て用のゲートウェイを介して親機に入力されてもよい。
【００５４】
（第２実施形態）
図２は、本開示の第２実施形態のインターホンシステム１０１の概略構成図である。なお、第２実施形態では、第１実施形態の構成部と同一構成部には同一参照番号を付して説明を省略する。また、第２実施形態では、第１実施形態と共通の作用効果および変形例について説明を省略し、第１実施形態と異なる構成、作用効果および変形例についてのみ説明を行う。
【００５５】
図２に示すように、インターホンシステム１０１は、玄関周辺領域も含めた住戸１１７内に構築され、親機１０５、子機６、宅配ボックス１０８、及び接点入力アダプタ１０９を備える。また、親機１０５は、表示部１５１、音声を入出力するマイクロホン１５２、スピーカ１５３、操作部１５４、記憶部１５５、及び制御部１５６を有する。また、宅配ボックス１０８は、磁気センサ１８１、通信部１８２、操作部１８３、及び表示部１８４を有する。インターホンシステム１０１では、接点入力アダプタ１０９が、宅配ボックス１０８の磁気センサ１８１が動作した信号を無線で受信し、磁気センサ１８１が動作した情報を有線で親機１０５に出力する。
【００５６】
接点入力アダプタ１０９は、宅配ボックス１０８の磁気センサ１８１から信号を受信する他、各種防犯センサからの信号も無線で受信してもよい。この場合、親機１０５の制御部１５６は、複数の接点を有し、例えば、第１接点がＯＮすることで、宅配ボックス１０８が施錠されたことを認識できる。また、親機１０５の制御部１５６は、第２接点がＯＮすることで、宅配ボックス１０８に荷物収容室に荷物が収容されたことを認識でき、第３接点がＯＮすることで、玄関用防犯センサがＯＮしたことを認識できる。すなわち、親機１０５は、１以上の接点を有し、親機１０５において接点入力アダプタ１０９からの伝送線が接続されるポートは、情報の取得部１５９を構成する。また、取得部１５９は、各接点をオンオフ制御することを表す信号を受信する。
【００５７】
親機１０５による子機６の制御は、第１実施形態と同様であるので、その詳細な説明は、省略する。インターホンシステム１０１の動作の一例を簡単に説明すると、例えば、宅配ボックス１０８が施錠されると、磁気センサ１８１が、その施錠を検出し、通信部１８２がその施錠情報を無線で送信する。接点入力アダプタ１０９は、施錠情報を無線で受け、親機１０５に施錠情報を含む信号を有線で送信する。施錠情報を受けた親機１０５は、例えば、子機６の映像ラインを起こし、施錠時に１以上の静止画像、又は動画（映像）を取得する。親機１０５は、取得した１以上の静止画像又は動画を自身の記憶部１５５に記憶する。
【００５８】
本構成によれば、簡易な構成で、親機１０５の操作部１５４の操作に基づかない子機６のカメラ６３の撮像制御とカメラ６３の撮像に基づく画像の録画制御のうちの少なくとも一方を実行できる。
【００５９】
なお、現在、防犯センサからの無線信号を受信するのに用いられている接点入力アダプタとしては、４２０ＭＨｚ等の周波数の無線信号を受信するものを用いることができる。したがって、宅配ボックス１０８が送信する無線信号は、如何なる周波数を有してもよいが、その無線信号の周波数として、４２０ＭＨｚ等を採用すると、既存の接点入力アダプタを僅かな改良だけで利用できるか又はそのまま利用できて好ましい。又は、接点アダプタを省略して、宅配ボックス１０８と親機１０５をケーブルで接続してもよく、宅配ボックス１０８からの信号を、ケーブルを用いて親機１０５に直接出力してもよい。
【００６０】
（第３実施形態）
図３は、本開示の第３実施形態のインターホンシステム２０１の概略構成図である。なお、第３実施形態では、第１実施形態の構成部と同一構成部には同一参照番号を付して説明を省略する。また、第３実施形態では、第１実施形態と共通の作用効果および変形例について説明を省略し、第１実施形態と異なる構成、作用効果および変形例についてのみ説明を行う。
【００６１】
図３に示すように、インターホンシステム２０１は、玄関周辺領域も含めた住戸２１７内で構築され、親機２０５、子機６、宅配ボックス８、表示部付制御装置７、及び無線ＬＡＮルータ２０９を備える。また、親機２０５は、表示部２５１、音声を入出力するマイクロホン２５２、スピーカ２５３、操作部２５４、記憶部２５５、制御部２５６、及び無線ＬＡＮモジュール２５７を有する。無線ＬＡＮモジュール２５７は、無線ＬＡＮでの通信が可能なＷｉ−Ｆｉ（登録商標）などの通信規格に対応した通信モジュールである。
【００６２】
親機２０５による子機６の制御は、第１実施形態と同様であるので、その詳細な説明は省略する。インターホンシステム２０１の動作の一例を簡単に説明すると、例えば、宅配ボックス８が施錠されると、磁気センサ８１が、その施錠を検出し、通信部８２がその施錠情報を無線で送信する。表示部付制御装置７は、施錠情報を無線で受け、無線ＬＡＮルータ２０９を介して親機２０５に施錠情報を含む信号を無線で送信する。
【００６３】
親機２０５の無線ＬＡＮモジュール２５７は、無線ＬＡＮルータ２０９からの無線信号を受信する。施錠情報を受けた親機２０５は、例えば、子機６の映像ラインを起こし、施錠時に１以上の静止画像、又は動画（映像）を取得する。親機２０５は、例えば、取得した１以上の静止画像又は動画を自身の記憶部２５５に記憶する。無線ＬＡＮモジュール２５７は、親機２０５の取得部の一例であり、親機２０５のローカルエリアネットワークからの情報を取得可能である。
【００６４】
本構成によれば、無線ＬＡＮを用いた簡素な構成で、親機１０５の操作部１５４の操作に基づかない子機６のカメラ６３の撮像制御とカメラ６３の撮像に基づく画像の録画制御のうちの少なくとも一方を実行できる。
【００６５】
なお、宅配ボックス８から送信される無線信号は、如何なる周波数を有してもよい。しかし、上述のように、既存の表示部付制御装置７は、９２０ＭＨｚの無線信号を受信できるので、無線信号が９２０ＭＨｚの周波数を有すれば、既存の表示部付制御装置７を大きな変更なしで使用できるか、そのまま使用できて好ましい。
【００６６】
また、表示部付制御装置７からの信号を、無線ＬＡＮを用いて親機２０５に送信する場合について説明した。しかし、親機が、９２０ＭＨｚの周波数を有する無線信号等の無線信号を受信できる受信モジュールを内蔵している場合には、無線ＬＡＮを用いずに、親機が、表示部付制御装置７からの無線信号を直接受信する構成でもよい。
【００６７】
なお、次の条件を満たすインターホン制御方法及びインターホン制御プログラムを用いると好ましい。詳しくは、そのインターホン制御方法では、情報端末の操作部に対する人の操作に基づかない情報を情報端末の取得部で取得する。また、そのインターホン制御方法では、情報端末の制御部が、インターホン玄関装置の撮像部の撮像制御、及び撮像部が撮像した画像を情報端末の記憶部に録画させる録画制御のうちの少なくとも一方を情報に基づいて実行する。
【００６８】
また、そのインターホン制御プログラムは、撮像部を有するインターホン玄関装置と双方向の信号のやり取りが可能であり、外部から情報を取得する取得部、操作部、及び記憶部を備える情報端末で用いられる。また、そのインターホン制御プログラムは、取得部が取得した情報であって操作部に対する人の操作に基づかない情報に基づいて、撮像部に撮像を実行させる処理、及び撮像部が撮像した画像を記憶部に録画する処理のうちの少なくとも一方をコンピュータに実行させる。
【００６９】
上記第１乃至第３実施形態の説明より明らかなように、これらの方法やプログラムを用いれば、人が操作部を操作しなくても、子機の撮像及び子機が撮像した画像の録画の少なくとも一方を制御でき、必要に応じて玄関周辺の人の画像を取得できる。
【符号の説明】
【００７０】
１,１０１,２０１  インターホンシステム、  ５,１０５,２０５  親機、  ６  子機、  ７  表示部付制御装置、  ８,１０８  宅配ボックス、  １５  インターネット、  ５４,１５４,２５４  親機の操作部、  ５５,１５５,２５５  親機の記憶部、  ５６,１５６,２５６  親機の制御部、  ５９,１５９  親機の取得部、  ６３  子機のカメラ、  １０９  接点入力アダプタ、  ２５７  無線ＬＡＮモジュール。
【図１】
2020061594.tif 000003
【図２】
2020061594.tif 000004
【図３】
2020061594.tif 000005